(57)【要約】本発明は、一般に、材料を淹れるための容器に関し、そしてより具体的には、コーヒー、紅茶、および他の飲料を自動的に淹れる際に使用するための、格納器に関する。挽いたコーヒー豆または茶葉を保持するための容器（２１０）。容器（２１０）は、本体（６００）、および本体（６００）から延びるリップ（７００）を備え得る。リップ（７００）は、頂部の実質的に平坦な表面（７１０）、および約２．６ミリメートル（約０．１インチ）以下の幅を備え得る。
2007521037.tif 000002
【特許請求の範囲】
【請求項１】
挽いたコーヒー豆または茶葉を保持するための容器であって、以下：
本体；ならびに
該本体から延びるリップ、
を備え、該リップは、
頂部の実質的に平坦な表面；および
約２．６ｍｍ（約０．１インチ）以下の幅、
を備える、容器。
【請求項２】
ポリスチレン、ポリエチレン、またはポリプロピレンをさらに含む、請求項１に記載の容器。
【請求項３】
前記本体が、側壁および基部を備える、請求項１に記載の容器。
【請求項４】
前記基部が、複数の開口部分を備える、請求項３に記載の容器。
【請求項５】
前記基部が、複数の支持リブを備える、請求項３に記載の容器。
【請求項６】
前記基部が、複数のスパイクを備える、請求項３に記載の容器。
【請求項７】
前記複数のスパイクの各々が、複数の刃によって囲まれた基部を有する、請求項６に記載の容器。
【請求項８】
前記リップが、前記平坦な表面から延びるフランジを備える、請求項１に記載の容器。
【請求項９】
前記フランジが、前記本体とポケットを形成するように、ある角度で下向きに延びている、請求項８に記載の容器。
【請求項１０】
前記ポケットが、上向きに湾曲する半径を備える、請求項９に記載の容器。
【請求項１１】
前記本体内に位置決めされる蓋をさらに備える、請求項１に記載の容器。
【請求項１２】
前記蓋が、凹状の形状を備える、請求項１１に記載の容器。
【請求項１３】
前記蓋が、複数の開口部分を備える、請求項１１に記載の容器。
【請求項１４】
前記本体が、前記蓋のための、１つ以上のオーバーカットを備える、請求項１１に記載の容器。
【請求項１５】
挽いたコーヒー豆または茶葉を保持するための容器であって、以下：
基部であって、該基部は、複数の開口部分を備える、基部；
該基部から延びる円形側壁；ならびに
該側壁から延びるリップ、
を備え、該リップは、
頂部の実質的に平坦な表面；および
該平坦な表面から下向きに延びるフランジ、
を備える、容器。
【請求項１６】
飲料材料から飲料を淹れるためのディスペンサーであって、以下：
飲料材料を内部に有する格納器であって、該格納器は、本体から延びるリップを備える、格納器；
格納器ホルダであって、該格納器ホルダは、該格納器を内部に受容し、そして該格納器のリップを支持するように適合されている、格納器ホルダ；
注入ヘッドであって、該注入ヘッドは、該格納器のリップに付与される、約１３６ｋｇ〜１６０ｋｇ（約３００ポンド〜３５０ポンド）の力を備える、注入ヘッド、
を備える、ディスペンサー。
【請求項１７】
前記格納器が、約５ｇ〜約８ｇのプラスチック材料を含む、請求項１６に記載のディスペンサー。
【請求項１８】
前記リップが、実質的に平坦な頂部表面を備え、そして前記注入ヘッドが、該平坦な頂部表面に適合するような大きさにされた密封リングを備える、請求項１６に記載のディスペンサー。
【請求項１９】
前記本体が、複数のスパイクを備える、請求項１６に記載のディスペンサー。
【請求項２０】
飲料材料から飲料を調製するための方法であって、以下；
該飲料材料を、容器に入れる工程；
該飲料材料を、該容器の蓋で詰める工程；
該蓋を、該容器内に位置決めする工程；および
該容器に、１平方センチメートルあたり約１．４ｋｇ〜１４ｋｇ（１平方インチ当たり約２０ポンド〜約２００ポンド）で加圧された水を注入する工程、
を包含する、方法。
【発明の詳細な説明】
【技術分野】
【０００１】
（技術分野）
本発明は、一般に、材料を淹れるための容器に関し、そしてより具体的には、コーヒー、紅茶、および他の飲料を自動的に淹れる際に使用するための、格納器に関する。
【背景技術】
【０００２】
（発明の背景）
種々の型の、コーヒーおよび紅茶の自動ディスペンサーが公知である。一般的に記載すると、これらのディスペンサーは、挽いたコーヒー豆、茶葉、または他の型の調合可能な材料を、何らかの種類の容器内に保持する。この飲料を淹れるために、熱湯が、一般に、この材料に添加される。この材料は、一般に、何らかの種類の使い捨て容器内に保持され、この容器は、熱湯を通過させるために、開口されるか、または穿孔されなければならない。
【０００３】
しかし、これらの公知の調合デバイスに関する１つの欠点は、このデバイスの、調合材料と接触する要素が、一般に、洗浄されなければならないことである。さらに、この材料のための容器は、各飲料のためのディスペンサーに挿入され、そして整列されなければならない。その結果、飲料ディスペンサーは、全体として、この容器が挿入され、整列され、取り外され、そして／またはこのディスペンサー要素が洗浄されるので、飲料サイクルの間でいくらか遅くあり得る。
【発明の開示】
【発明が解決しようとする課題】
【０００４】
従って、迅速なサイクル時間で飲料を淹れるデバイスに対する要望が存在する。このデバイスは、好ましくは、比較的安価であるべきであり、そして使用が容易であり、かつ高品質の飲料を製造するべきである。同様に、このデバイスは、好ましくは、異なる型の調合材料および量に適合可能であるべきである。
【課題を解決するための手段】
【０００５】
（発明の要旨）
従って、本発明は、挽いたコーヒー豆または茶葉を保持するための容器を提供し得る。この容器は、本体、およびこの本体から延びるリップを備え得る。このリップは、頂部の実質的に平坦な表面、および約２．６ｍｍ（約０．１インチ）以下の幅を備え得る。
【０００６】
この容器は、ポリスチレン、ポリエチレン、またはポリプロピレンから作製され得る。この本体は、側壁および基部を備え得る。この基部は、多数の開口部分、多数の支持リブ、および多数のスパイクを備え得る。これらのスパイクの各々は、多数の刃によって囲まれた基部を備え得る。
【０００７】
このリップは、平坦な表面から延びるフランジを備え得る。このフランジは、この本体とポケットを形成するように、ある角度で下向きに延び得る。このポケットは、上向きに湾曲する半径を備え得る。
【０００８】
この容器はまた、この本体内に位置決めされる蓋を備え得る。この蓋は、凹状の形状を備え得、そして多数の開口部分を備え得る。この本体は、この蓋のための、１つ以上のオーバーカットを備え得る。
【０００９】
本発明のさらなる実施形態は、挽いたコーヒー豆または茶葉を保持するための容器を提供し得る。この容器は、多数の開口部分を有する基部、この基部から延びる円形の側壁、およびこの側壁から延びるリップを備え得る。このリップは、頂部の実質的に平坦な表面、およびこの平坦な表面から下向きに延びるフランジを備え得る。
【００１０】
本発明のさらなる実施形態は、飲料材料から飲料を淹れるためのディスペンサーを提供し得る。このディスペンサーは、飲料材料を内部に有する格納器、格納器ホルダ、および注入ヘッドを備え得る。この格納器は、この本体から延びるリップを備え得る。この格納器ホルダは、この格納器を中に受容するように、そしてこの格納器のリップを支持するように、適合され得る。この注入ヘッドは、この格納器の蓋に付与される、約１３６ｋｇ〜１６０ｋｇ（約３００ポンド〜３５０ポンド）の力を備え得る。このディスペンサーは、多数の格納器をさらに備え得る。
【００１１】
この格納器は、約５ｇ〜約８ｇのプラスチック材料を含み得る。この蓋は、実質的に平坦な頂部表面を備え得、そしてこの注入ヘッドは、この平坦な頂部表面に適合するような大きさにされた、密封リングを備え得る。この本体は、多数のスパイクを備え得る。
【００１２】
本発明の方法は、飲料材料から飲料を調製するために提供され得る。この方法は、この飲料材料を容器に入れる工程、この飲料材料をこの容器の蓋で詰める工程、この蓋をこの容器内に位置決めする工程、およびこの容器に、１平方センチメートルあたり約１．４ｋｇ〜１４ｋｇ（１平方インチあたり約２０ポンド〜約２００ポンド）の加圧された水を注入する工程を包含し得る。
【発明を実施するための最良の形態】
【００１３】
（詳細な説明）
ここで図面を参照すると、図面において、同じ番号は、いくつかの図にわたって同じ要素を指し、図１および図２は、飲料ディスペンサーシステム１００の１つの適用を示す。これらの図において、格納器調合装置３００が示されている。格納器調合装置３００は、熱交換器１５０を備え得、この熱交換器は、示されるように、熱湯レザバ１６０内に位置決めされており、そして注入ノズル２００と連絡している。この実施形態において、飲料ディスペンサーシステム１００の要素は、全体として、ディスペンサーフレーム３０５に設置されている。ディスペンサーフレーム３０５は、ステンレス鋼、アルミニウム、他の型の金属、または他の型の実質的に非腐食性材料から作製され得る。
【００１４】
注入ノズル２００は、１つ以上の格納器カートリッジ２１０と相互作用し得、これによって、所望の飲料を、カップ２３０または他の任意の型の受器内に作製する。格納器カートリッジ２１０は、飲料ディスペンサーシステム１００において、タレットアセンブリ３１０内に位置決めされ得る。タレットアセンブリ３１０は、ディスペンサーフレーム３０５にしっかりと取り付けられ得る。図３に示されるように、タレットアセンブリ３１０は、タレットフレーム３２５内に位置決めされた、タレットプレート３２０を備え得る。タレットフレーム３２５は、ステンレス鋼、アルミニウム、他の型の従来の金属、または類似の型の実質的に非腐食性の材料から作製され得る。タレットプレート３２０は、実質的に、円形であり得る。タレットプレート３２０は、多数の格納器開口部分３３０を備え得る。格納器開口部分３３０は、格納器カートリッジ２１０を収容するような大きさにされ得る。タレットプレート３２０は、タレットピン３４０の周りで回転し得る。タレットモータ３５０は、タレットアセンブリ３１０を駆動させ得る。タレットモータ３５０は、従来のＡＣモータまたは類似の型のデバイスであり得る。タレットモータ３５０は、約６ｒｐｍ〜約３０ｒｐｍで、タレットアセンブリ３１０を駆動し得、約２５ｒｐｍが好ましい。
【００１５】
タレットプレート３２０はまた、その周囲の周りに位置決めされた、多数の移動止め３６０を有し得る。移動止め３６０は、タレット開口部分３３０の各々の周りに位置決めされ得る。移動止め３６０は、タレットプレート３２０の回転を制御するように、１つ以上の制限スイッチ３６５と協働し得る。プレート３２０の回転は、制限スイッチ３６０が移動止め３６０のうちの１つに遭遇すると、止まり得る。
【００１６】
タレットアセンブリ３１０に隣接して、注入器アセンブリ４００が位置決めされ得る。注入器アセンブリ３１０は、ディスペンサーフレーム３０５にしっかりと取り付けられ得る。注入器アセンブリ４００はまた、タレットアセンブリ３１０の上方に延びる、注入器フレーム４１０を備え得る。注入器フレーム４１０は、ステンレス鋼、他の型の金属、または類似の型の、実質的に非腐食性の材料から作製され得る。
【００１７】
図４および図５に示されるように、注入器アセンブリ４００は、上記のような注入ノズル２００を備え得る。注入ノズル２００は、必要な場合に格納器カートリッジ２１０に貫入するような細い先端部を有し得るか、または格納器カートリッジ２１０全体を収容するための広い口を有し得る。注入器アセンブリ４００は、注入器ノズル２００と協働する注入器ヘッド４２０を備え得る。注入器ヘッド４２０は、格納器カートリッジ２１０より直径がわずかに大きくあり得る。注入器ヘッド４２０もまた、ステンレス鋼、プラスチック、または類似の型の、実質的に非腐食性の材料から作製され得る。注入器ヘッド４２０は、その下部周囲の周りに位置決めされた、密封リング４３０を備え得る。密封リング４３０は、ゴム、シリコーン、または他の型の弾性材料から作製され得、その結果、実質的に水密のシールが、注入器ヘッド４２０と格納器カートリッジ２１０との間に形成され得る。熱交換器１５０は、注入器ヘッド４２０と連絡し得、これによって、加圧された熱湯を、格納器カートリッジ２１０に提供する。
【００１８】
注入器ヘッド４２０は、カムシステム４４０を介して、実質的に垂直な面内で移動可能であり得る（用語「垂直」および「水平」は、絶対的な位置とは異なる基準座標系で使用される。注入器ヘッド４２０および本明細書中に記載される他の要素は、任意の配向で作動し得る）。カムシステム駆動モータ４５０は、カムシステム４４０を駆動させ得る。駆動モータ４５０は、上記タレットモータ３５０と類似の、従来のＡＣモータであり得る。駆動モータ４５０はまた、くま取り型電動機またはＤＣ型モータであり得る。駆動モータ４５０は、駆動ベルトシステム４７０を解して、偏心カム４６０を回転させ得る。駆動モータ４５０および歯車システム４７０は、偏心カム４６０を、約６ｒｐｍ〜約３０ｒｐｍで回転させ得、約２５ｒｐｍが好ましい。偏心カム４６０は、その下位置が、約４．１ｃｍ〜約４．８ｃｍ（約１．６インチ〜１．９インチ）の半径を有し得、一方で、その上位置が、約３．５ｃｍ〜４．１ｃｍ（約１．３インチ〜約１．７インチ）の半径を有し得るような形状にされ得る。
【００１９】
偏心カム４６０は、あそびホイール４８０と協働し得る。あそびホイール４８０は、支持プレート４９０と連絡し得、そして支持プレート４９０内に設置され得る。支持プレート４９０は、注入器フレーム４１０の周りで動き得る。支持プレート４９０は、ステンレス鋼、他の型の鋼、プラスチック、または他の材料から作製され得る。支持プレート４９０は、注入器ヘッド４２０にしっかりと取り付けられ得る。支持プレート４９０は、その上に位置決めされた多数のガイドホイール５００を有し得、その結果、支持プレート４９０は、注入器フレーム４１０内で、垂直方向に移動し得る。戻りばね５２０がまた、この支持プレートおよび注入器フレーム４１０に取り付けられ得る。制限スイッチ５３０が、カム４６０の周りに位置決めされ得、その結果、このスイッチの回転は、一定の量を超え得ない。
【００２０】
従って、注入器ヘッド４２０は、カムシステム４４０を介して、垂直方向に上下に動き得る。具体的には、駆動モータ４５０が、歯車システム４７０を介して、偏心カム４６０を回転させ得る。偏心カム４６０が、半径を次第に増加させて回転するにつれて、あそびホイール４８０が、支持プレート４９０を下方に押し、その結果、注入器ヘッド４２０が、格納器カートリッジ２１０と接触する。偏心カム４６０は、約６．４ｍｍ〜約１２．７ｍｍ（約４分の１インチ〜約２分の１インチ）だけ、注入器ヘッド４２０を低下させ得る。一旦、注入器ヘッド４２０が格納器カートリッジ２１０と接触すると、偏心カム４６０は、回転を続け得、そしてカム４６０が制限スイッチ５３０に達するまで、格納器カートリッジ２１０に対する圧力を増加させる。注入器ヘッド４２０は、約１３６ｋｇ〜１６０ｋｇ（約３００ポンド〜３５０ポンド）の下向きの力で、格納器カートリッジ２１０と係合し得る。従って、密封リング４３０は、実質的に気密かつ水密のシールを、格納器カートリッジ２１０の周りに形成し得る。駆動モータ４５０は、カム４６０を、適当な位置に、予め決定された量の時間にわたって保持し得る。次いで、カムシステム４４０は後退され得、その結果、注入器ヘッド４２０は、その元の位置に戻る。
【００２１】
一旦、注入器ヘッド４２０の注入ノズル２００が、格納器カートリッジ２１０と接触すると、高圧の熱湯が、熱交換器１５０から注入器ヘッド４２０へと流入し得る。この水は、約８２℃〜約９３℃（約１８０°Ｆ〜約２００°Ｆ）であり得る。入ってくる水流は、１平方センチメートルあたり約１１ｋｇ〜約１４ｋｇ（１平方インチあたり約１６０ポンド〜２００ポンド）で加圧され得る。格納器カートリッジ２１０を通過する水の圧力は、１平方センチメートルあたり約１．４ｋｇ〜約１４ｋｇ（１平方インチあたり約２０ポンド〜約２００ポンド）であり得る。格納器カートリッジ２１０を通って流れる水の圧力は、飲料の性質によって変動し得る。
【００２２】
図６および図７に示されるように、格納器カートリッジ２１０は、異なる型の粉、葉、または他の型の調合材料５５０で満たされ得る。約３０ｍｌの、１杯分の大きさのエスプレッソ飲料の場合、約６ｇ〜約８ｇのエスプレッソ粉が、格納器カートリッジ２１０に入れられ得る。同様に、約６ｇ〜約８ｇのコーヒーの粉が、約２４０ｍｌ（約８オンス）カップのコーヒーを製造するために、格納器カートリッジ２１０に添加され得る。約３ｇ〜約５ｇの茶葉が、約１５０ｍｌ（約５オンス）カップの紅茶を作製するために、格納器カートリッジ２１０に添加され得る。
【００２３】
調合材料５５０は、１層以上のフィルターペーパー５６０内に位置し得る。フィルターペーパー５６０は、飲料が通過することを可能にしながら調合材料５５０を収集するために使用される、標準的なフィルターペーパーであり得る。格納器カートリッジは、上部フィルター層５７０および下部フィルター層５８０を有し得る。調合材料５５０自体は、上部フィルター層５７０と下部フィルター層５８０との間に直接位置決めされ得る。あるいは、調合材料５５０は、箔包装具５９０内に入れられ得る。箔包装具５９０は、調合材料５５０を内部で新鮮に、そして周囲の空気と接触しないように維持するように働き得る。あるいは、格納器カートリッジ２１０全体が、個々にかまたは群としてかのいずれかで、格納器２１０の使用の準備ができるまで、箔包装具内に入れられ得る。
【００２４】
図８〜１２は、飲料ディスペンサーシステム１００または他の型の飲料システムにおいて使用され得る、格納器カートリッジ２１０の実施形態を示す。格納器カートリッジ２１０は、実質的に、カップ６００の形状であり得る。カップ６００は、従来の熱可塑性物質（例えば、ポリスチレン、ポリエチレン、またはポリプロピレン）から作製され得る。あるいは、ステンレス鋼または他の型の、実質的に非腐食性の材料もまた、使用され得る。カップ６００は、実質的に、剛性であり得る。
【００２５】
カップ６００は、実質的に円形の双璧６１０、および実質的に平坦な基部６２０を備え得る。カップ６００の側壁６１０および基部６２０は、成型されて一体の要素を形成し得るか、または別体の側壁６１０および別体の基部６２０が、互いにしっかりと取り付けられ得る。側壁６１０および基部６２０、ならびに全体としてのカップ６００は、タレットアセンブリ３１０のタレットプレート３２０の格納器開口部分３３０および注入器アセンブリ４００の注入器ヘッド４２０に適合するような、任意の好都合な寸法を有し得る。あるいは、カップ６００の側壁６１０および基部６２０は、任意の他の型の飲料ディスペンサーシステム１００に適合するように、任意の好都合な寸法を有し得る。
【００２６】
カップ６００の側壁６１０は、調合材料５５０の適切な量を収容するように、任意の好都合な深さを有し得る。この実施形態において、側壁６１０は、約３．９ｃｍ（約１．５３５インチ）の内径、約４．０３ｃｍ（約１．５８６インチ）の外径、および約１．２９５ｍｍ（約０．０５１インチ）の壁厚を有し得る。側壁６１０はまた、約２．４３ｃｍ（約０．９５５インチ）の深さを有し得、基部６２０は、約０．３１８ｃｍ（約０．１２５インチ）のさらなる深さを有する。カップ６００の側壁６１０および基部６２０のこのような構成は、所望の飲料のサイズ（すなわち、８オンス、１２オンス、または１６オンス）に依存して、約６ｇ〜約１６ｇの調合材料５５０を保持し得る。これらの寸法は、例示のみの目的である。カップ６００の側壁６１０および基部６２０は、任意の望ましいかまたは好都合な大きさまたは形状を採り得る。例えば、側壁６１０は、所望であれば、真っ直ぐであっても、テーパ状であっても、段状であっても、湾曲していてもよい。
【００２７】
基部６２０はまた、底部床６３０を備え得る。底部床６３０は、形成された多数の開口部分６４０を備え得る。開口部分６４０は、床６３０の幅にわたって延び得る。この実施形態において、開口部分６４０は、約１．６ｍｍ（約０．０６３インチ）の直径を有する、およそ円形の形状であり得る。しかし、任意の望ましい形状または大きさが、使用され得る。この実施形態において、約５４個の開口部分６４０が、本明細書中で使用されるが、任意の数が、使用され得る。基部６２０はまた、床６３０を支持する、多数の支持リブ６５０を備え得る。内側の円形リブ６６０、外側の円形リブ６７０、および多数の放射状リブ６８０が、使用され得る。任意の設計または任意の数のリブ６６０が、使用され得る。この実施形態において、リブ６５０は、約２．５４ｍｍ（約０．１インチ）の深さを有し得、そして床６３０は、約１．７８ｍｍ（約０．０７インチ）の深さを有し得るが、任意の所望の厚さが使用され得る。
【００２８】
カップ６００の側壁６１０はまた、上部リップ７００を備え得る。上部リップ７００は、実質的に平坦な頂部部分７１０、および頂部部分７１０から延びる下向きに角度の付いたフランジ７２０を備え得る。フランジ７２０は、側壁６１０とポケット７３０を形成するように、下向きに延び得る。ポケット７３０の頂部は、湾曲した内部半径７３５を形成し得る。図１３に示されるように、側壁６１０は、ポケット７３０内に、外側の段７４０を備えても備えなくてもよい。
【００２９】
この実施形態において、例のみとして、上部リップ７００の平坦な頂部部分７１０は、水平方向に延びる、約２．５４ｍｍ（約０．１インチ）の幅を有する。フランジ７２０は、約２．２ｍｍ（約０．０８７インチ）の長さを有し得る。リップ７００のフランジ７２０およびポケット７３０は、格納器開口部分３３０の大きさに適合するような大きさにされる。具体的には、リップ７００は、可能な限り少ない材料を使用しながら、格納器開口部分３３の大きさ、および注入器ヘッド４２０の予測される力に適合するように、構成される。
【００３０】
図１４および図１５は、カップ６００のさらなる実施形態を示す。この実施形態において、カップ６００の側壁６１０は、形成された多数のオーバーカット７６０を備え得る。この実施形態において、第一のオーバーカット７７０および第二のオーバーカット７８０が、使用され得る。しかし、任意の数のオーバーカット７６０が使用され得る。オーバーカット７６０は、側壁６１０の内周の周りで連続的であり得るか、またはオーバーカット７６０は、断続的であり得る。オーバーカット７６０は、蓋７９０と協働し得る。蓋７９０は、縁部を有し得、この縁部は、オーバーカット７６０内にフィットし、そして保持されるように、実質的に楔形の形状の縁部８００を有し得る。楔形の形状の縁部８００の使用は、蓋７９０が適所に残ることを可能にする。縁部８００は、連続的であっても、オーバーカット７６０と嵌合するように断続的であってもよい。蓋７９０は、好ましくは、内向きに曲げられるか、または形状がおよそ凹状である。
【００３１】
蓋７９０は、カップ６００に入れられることが望まれる調合材料５５０の量に依存して、第一のオーバーカット７７０または第二のオーバーカット７８０内に配置され得る。蓋７９０は、調合材料５５０を圧力下で下方に詰めるように、そして内部の調合材料５５０が移動しないように、下向きに曲がっている。蓋７９０は、少なくとも約９ｋｇの圧縮力（約２０ポンドの力）で、調合材料５５０を圧縮し得る。蓋７９０はまた、多数の開口部分８１０を有し得、これによって、注入器ヘッド４２０からの水が通過することを可能にする。注入器ヘッド４２０の性質に依存して、蓋７９０の使用は、必要ではないかもしれない。その代わりに、箔包装具または他の任意の覆いが、使用され得る。同様に、オーバーカット７６０もまた、所望される場合、排除され得るかまたは改変され得る。
【００３２】
図１６〜１９は、本発明のさらなる実施形態である、スパイク付きの格納器８５０を示す。スパイク付きの格納器８５０は、格納器カートリッジ２１０に関して上で記載されたような、カップ６００、側壁６１０、基部６２０、蓋７００、およびこれらの要素を使用し得る。スパイク付きの格納器８５０はまた、基部６２０の床６３０に沿って位置決めされた、多数のスパイク８６０を備え得る。スパイク８６０は、以下により詳細に記載されるように、調合材料５５０のためのパッケージを穿刺するように働き得る。この実施形態において、約１８個のスパイク８６０が使用され得る。しかし、任意の所望の数のスパイク８６０が使用され得る。スパイク８６０は、基部６２０の放射状のリブ６８０に沿って整列し得るか、または床６３０に沿った他の箇所に整列し得る。
【００３３】
例えば図１９に示されるように、スパイク８６０は、基部８８０を囲む３つの三角形の刃８７０を備え得る。刃８７０の先端は、穿刺領域８９０を形成し得る。刃８６０は、任意の望ましい形状を有し得る。刃８７０は、約６．３５ｍｍ（約０．２５インチ）の高さを有し得、そして基部８８０は、約３．８ｍｍ（約０．１５インチ）の高さを有し得、その結果、穿刺領域８９０は、約２．５４ｍｍ（約０．１インチ）の長さが、基部８８０の上方にあり得る。しかし、任意の望ましい大きさが使用され得る。
【００３４】
使用の際に、フィルターペーパーの下層５８０は、格納器カートリッジ２１０のカップ６００と一緒に、配置され得る。下層５８０は、基部６２０の床６３０に沿って、位置決めされ得る。次いで、ある量の調合材料５５０が、このカップに入れられ得る。次いで、フィルターペーパーの上層５７０が、所望であれば、調合材料５５０の上に配置され得る。次いで、蓋７９０が、カップ６００に入れられ得、これによって、調合材料５５０を詰める。一旦、蓋７９０が調合材料５５０を圧縮すると、蓋７９０の縁部８００が、カップ６００の側壁６１０における適切なオーバーカット７６０内に位置決めされる。次いで、格納器２１０が、飲料ディスペンサーシステム１００または他のものとの使用のために、密封され得るか、または他の様式で荷造りされ得る。
【００３５】
格納器２１０は、タレットアセンブリ３１０の格納器開口部分３３０のうちの１つの中に、位置決めされ得る。具体的には、格納器開口部分３３０の外縁部が、カップ６００のリップ７００のフランジ７２０と整列する。従来の正方形のリップを有する格納器または他のデバイスは、格納器開口部分３３０から遠くに延びすぎるので、注入器アセンブリ３１０の注入ヘッド４２０とともに機能しない。次いで、注入器ヘッド４２０は、格納器２１０の周りに位置決めされ得る。注入器ヘッド４２０の密封リング６３０が、カップ６００のリップ７００の頂部部分７１０の周りを密封し得る。丸みを帯びたリップまたは平坦ではない形状を有するリップの使用は、関与するある量の圧力が与えられると、密封リング４３０に対する損傷を引き起こし得る。すなわち、上記のように、注入器ヘッド４２０は、約１３６ｋｇ重〜約１６０ｋｇ重（約３００ポンド〜約３５０ポンド）の下向きの力で、格納器カートリッジ２１０に係合し得、そして入ってくる水流は、１平方センチメートルあたり約１１ｋｇ〜約１４ｋｇ（１平方インチあたり約１６０ポンド〜２００ポンド（ｐｓｉ））で加圧され得る。格納器カートリッジ２１０を通って流れる水の圧力は、調合材料５５０の性質に依存して、１平方センチメートルあたり約１．４ｋｇから約１４ｋｇまで（１平方インチあたり約２０ポンドから約２００ポンドまで）変動し得る。
【００３６】
注入ヘッド４２０を通過する水は、蓋７９０およびその開口部分８１０を通って広がり得、そして調合材料５５０に入り得る。次いで、淹れられた飲料が、カップ６００の基部６２０における開口部分６４０を通過し得る。
【００３７】
リップ７００およびカップ６００の基部６２０は、可能な限り少ない材料を使用するように、一方で、変形することなく上記水圧に耐え得るように、設計される。カップ６００は、全体として、使用の際に、約５ｇ〜約８ｇのプラスチック材料（例えば、ポリプロピレンホモポリマー）を有し得る。蓋７００の構成は、必要とされるプラスチックを、約０．４ｇ〜約０．６ｇ、すなわち、約１０％節約し得る。
【００３８】
スパイク付きの格納器８５０の実施形態において、調合材料５５０は、箔包装具５９０内に位置決めされ得る。少なくとも下部フィルター層５８０もまた、カップ６００内に配置され得る。注入ノズル２００が、箔包装具５９０を穿孔し得るか、または水が、他の様式で、上記水圧でカップ６００に流入し得る。この水圧は、下部フィルター層５８０と箔包装具５９０との両方を、スパイク付きの格納器８５０のスパイク８６０に押し付け得る。この圧力は、これらのスパイク８６０が、下部フィルター領域５８０および箔包装具５９０を穿孔することを可能にし得る。スパイク８６０によって生じる穿刺は、残りの調合材料５５０を実質的に維持しながら、淹れられた飲料が通過することを可能にし得る。スパイク８６０は、箔包装具５９０の、実質的に均一な穿孔を提供し得る。調合材料５９０はまた、スパイク８６０によって穿孔され得る、他の型の構造体に収容され得る。
【図面の簡単な説明】
【００３９】
【図１】図１は、本発明において使用するための、飲料ディスペンサーシステムの１つの実施形態の斜視図である。
【図２】図２は、図１の飲料ディスペンサーシステムの上平面図である。
【図３】図３は、図１の飲料ディスペンサーシステムのタレットシステムの斜視図である。
【図４】図４は、図１の飲料ディスペンサーシステムの注入アセンブリの斜視図であり、ガイドホイールおよび支持プレートの戻りばねが、想像線で示されている。
【図５】図５は、図１の飲料ディスペンサーシステムの注入アセンブリの後方斜視図であり、あそびホイールおよび制限スイッチが、切取り図で示されている。
【図６】図６は、本発明において使用するための調合材料の構成の、側面断面図である。
【図７】図７は、本発明において使用するための調合材料の代替の構成の、側面断面図である。
【図８】図８は、本発明の格納器の上面斜視図である。
【図９】図９は、図８の格納器の底面斜視図である。
【図１０】図１０は、図８の格納器の側面平面図である。
【図１１】図１１は、図８の格納器の底面平面図である。
【図１２】図１２は、図８の格納器の側面断面図である。
【図１３】図１３は、図８の格納器のリップの側面断面図である。
【図１４】図１４は、上部に蓋を備える、本発明の格納器の代替の実施形態の側面断面図である。
【図１５】図１５は、図１４の格納器の内壁の側面断面図である。
【図１６】図１６は、本発明の格納器の代替の実施形態の斜視図である。
【図１７】図１７は、図１６の格納器の上面平面図である。
【図１８】図１８は、図１６の格納器の側面断面図である。
【図１９】図１９は、図１６の格納器において使用されるスパイクの斜視図である。
【図１】
2007521037.tif 000003
【図２】
2007521037.tif 000004
【図３】
2007521037.tif 000005
【図４】
2007521037.tif 000006
【図５】
2007521037.tif 000007
【図６】
2007521037.tif 000008
【図７】
2007521037.tif 000009
【図８】
2007521037.tif 000010
【図９】
2007521037.tif 000011
【図１０】
2007521037.tif 000012
【図１１】
2007521037.tif 000013
【図１２】
2007521037.tif 000014
【図１３】
2007521037.tif 000015
【図１４】
2007521037.tif 000016
【図１５】
2007521037.tif 000017
【図１６】
2007521037.tif 000018
【図１７】
2007521037.tif 000019
【図１８】
2007521037.tif 000020
【図１９】
2007521037.tif 000021
【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
挽いたコーヒー豆または茶葉を保持するための容器であって、以下：
本体；
該本体から延びるリップであって、該リップは、頂部の実質的に平坦な表面を備える、リップ；
該本体内に位置決めされる蓋であって、該蓋が、凹状の形状を備える、蓋、
を備え、該本体が、該蓋のための、１つ以上のカットを備える、容器。
【請求項２】
ポリスチレン、ポリエチレン、またはポリプロピレンをさらに含む、請求項１に記載の容器。
【請求項３】
前記本体が、側壁および基部を備える、請求項１に記載の容器。
【請求項４】
前記基部が、複数の開口部分を備える、請求項３に記載の容器。
【請求項５】
前記基部が、複数の支持リブを備える、請求項３に記載の容器。
【請求項６】
前記基部が、複数のスパイクを備える、請求項３に記載の容器。
【請求項７】
前記複数のスパイクの各々が、複数の刃によって囲まれた基部を有する、請求項６に記載の容器。
【請求項８】
前記リップが、前記平坦な表面から延びるフランジを備える、請求項１に記載の容器。
【請求項９】
前記フランジが、前記本体とポケットを形成するように、ある角度で下向きに延びている、請求項８に記載の容器。
【請求項１０】
前記ポケットが、上向きに湾曲する半径を備える、請求項９に記載の容器。
【請求項１３】
前記蓋が、複数の開口部分を備える、請求項１に記載の容器。
【請求項１５】
挽いたコーヒー豆または茶葉を保持するための容器であって、以下：
基部であって、該基部は、複数の開口部分を備える、基部；
該基部から延びる円形側壁；ならびに
該側壁から延びるリップ、
を備え、該リップは、
頂部の実質的に平坦な表面；および
該平坦な表面から下向きに延びるフランジ、
を備える、容器。
【請求項１６】
飲料材料から飲料を淹れるためのディスペンサーであって、以下：
飲料材料を内部に有する格納器であって、該格納器は、本体から延びるリップを備える、格納器；
格納器ホルダであって、該格納器ホルダは、該格納器を内部に受容し、そして該格納器のリップを支持するように適合されており、該格納器は、該リップのみによって支持されている、格納器ホルダ；
注入ヘッドであって、該注入ヘッドは、該格納器のリップに付与される、約１３６ｋｇ〜１６０ｋｇ（約３００ポンド〜３５０ポンド）の力を備える、注入ヘッド、
を備える、ディスペンサー。
【請求項１７】
前記格納器が、約５ｇ〜約８ｇのプラスチック材料を含む、請求項１６に記載のディスペンサー。
【請求項１８】
前記リップが、実質的に平坦な頂部表面を備え、そして前記注入ヘッドが、該平坦な頂部表面に適合するような大きさにされた密封リングを備える、請求項１６に記載のディスペンサー。
【請求項１９】
前記本体が、複数のスパイクを備える、請求項１６に記載のディスペンサー。
【請求項２０】
飲料材料から飲料を調製するための方法であって、以下；
該飲料材料を、容器に入れる工程；
該飲料材料を、該容器の蓋で詰める工程；
該蓋を、該容器内に位置決めする工程；および
該容器に、１平方センチメートルあたり約１．４ｋｇ〜１４ｋｇ（１平方インチ当たり約２０ポンド〜約２００ポンド）で加圧された水を注入する工程、
を包含する、方法。
【国際調査報告】
2007521037.tif 000022
2007521037.tif 000023
2007521037.tif 000024
2007521037.tif 000025